(57)【要約】【課題】損傷時復原性が良好で、且つ船倉から粉粒体を安定的に揚荷することができる揚荷装置を提供すること。【解決手段】粉粒体を複数に区画された船倉内に積載して運搬する粉粒体運搬船に設置され、前記船倉内から前記粉粒体を荷揚する揚荷装置。隔壁により内部が水密となるように区画された前記船倉内から搬出された粉粒体を垂直方向に移送する垂直移送手段と、前記船倉の底部中央に前記粉粒体運搬船の船体前後方向に貫通するように配置されると共に前記垂直移送手段と接続され、前記船倉内の粉粒体を、矩形断面を有する抜出口から前記垂直移送手段の下端側に向けて水平方向に移送する水平移送手段と、前記船倉の底部に前記底部中央に向けて傾斜するように配置され、前記船倉内の粉粒体を空気流により流動化させて前記水平移送手段に向けて移送するエアスライダとを備え、前記船倉の矩形断面を有する抜出口及び前記水平移送手段は、水密角型バタフライバルブにより閉塞可能に接続されていることを特徴とする。【選択図】図３
2018070158.tif 000002
【特許請求の範囲】
【請求項１】
粉粒体を複数に区画された船倉内に積載して運搬する粉粒体運搬船に設置され、前記船倉内から前記粉粒体を荷揚する揚荷装置であって、
隔壁により内部が水密となるように区画された前記船倉内から搬出された粉粒体を垂直方向に移送する垂直移送手段と、
前記船倉の底部中央に前記粉粒体運搬船の船体前後方向に貫通するように配置されると共に前記垂直移送手段と接続され、前記船倉内の粉粒体を、船倉の隔壁に移送方向下方に傾斜して取り付けられた矩形断面を有する抜出口から取り入れ、前記垂直移送手段の下端側に向けて水平方向に移送する水平移送手段と、
前記船倉の底部に前記底部中央に向けて下方に傾斜するように配置され、前記船倉内の粉粒体を空気流により流動化させて前記船倉内を移送し、前記抜出口に向けて移送するエアスライダとを備え、
前記船倉の矩形断面を有する抜出口及び前記水平移送手段は、水密角型バタフライバルブにより閉塞可能に接続されており、粉粒体の流路は前記抜出口から前記水平移送手段の入口まですべて矩形断面であるとともに移送方向下方に傾斜しており、かつ前記水密角型バタフライバルブは粉粒体の流路に沿って傾斜して取り付けられており、それによって水密角型バタフライバルブの開状態において前記エアスライダにおいて流動化された粉粒体は、前記船倉の抜出口から水密角型バタフライバルブを通って前記水平移送手段に少ない流れ抵抗で滞留することなく移送され、水密角型バタフライバルブの閉塞状態において各船倉と水平移送手段とは水密に遮断されることを特徴とする揚荷装置。
【請求項２】
前記垂直移送手段は、縦型バケットエレベータからなり、前記水平移送手段は、フローコンベヤからなることを特徴とする請求項１に記載の揚荷装置。
【請求項３】
前記水密角型バタフライバルブのディスク面は、バルブの開状態において水平面に対し傾斜しており、バルブの閉塞状態において垂直面に対し傾斜していることを特徴とする請求項１又は２に記載の揚荷装置。
【発明の詳細な説明】
【技術分野】
【０００１】
本発明は、セメント、フライアッシュ、炭酸カルシウム（タンカル）、スラグ、クリンカー等の無機材の粉粒体の貨物や、穀物等を含む有機材の粉粒体の貨物を搬送する粉粒体運搬船に適用可能な揚荷装置に関する。
【背景技術】
【０００２】
セメント、フライアッシュ、タンカル、スラグ、クリンカーや穀物等の粉粒体の貨物を運搬する貨物運搬船として、例えば下記特許文献１に開示されている粉体輸送船が知られている。この粉体輸送船は、船底構造として、複数に区画された船倉内の底部中央の粉体導入路に向けて布材を備えた傾斜部を有する箱型エアスライダが設置され、この箱型エアスライダの布材の底部から圧縮空気を吹き出すことで粉体の流動性を確保し、粉体を粉体導入路に搬送する構造を備えている。
【０００３】
圧縮空気によって流動化、搬送され、粉体導入路に導かれた粉体は、粉体導入路に設けられた搬送コンベヤによって船体の前後方向に搬送され、更に垂直移送手段でセラーポンプまで搬送された上で揚荷される。このように、この粉体輸送船は、区画された船倉、その船底構造や粉体導入路、搬送コンベヤなどにより構成された揚荷装置を備えている。
【先行技術文献】
【特許文献】
【０００４】
【特許文献１】特開２００２−３５６１９４号公報
【発明の概要】
【発明が解決しようとする課題】
【０００５】
しかしながら、上記特許文献１に開示された従来技術の粉体輸送船では、揚荷装置を構成する粉体導入路が、複数の船倉を連通して船体の前後方向に延びる構造である。このため、損傷時復原性（ダメージスタビリティ：ＤＳ）が良好でないという問題がある。
【０００６】
すなわち、例えば複数の船倉のうちの少なくとも１つに海水が浸入して浸水すると、複数の船倉を連通する粉体導入路を介して各船倉に海水が到達してしまい、全ての船倉が浸水してしまうので、船倉内に積み込んだ粉体が製品として扱えなくなると共に、損傷時復原性が良好でないという問題がある。
【０００７】
このような問題を解決するため、各船倉の抜出口のゲート弁を水密弁に交換し、各船倉を粉体導入路と水密に遮断することが考えられるが、公知の水密弁を取り付けることには、様々な問題があった。即ち、ボールバルブは、摺動部分に粉粒体を咬み込み、摺動部分が摩耗したり、破損する場合があり、それによって水密性が損なわれる恐れがある。
【０００８】
また、ゲートバルブは摺動部分に粉粒体を咬み込み、摺動部分が摩耗したり、破損する場合があり、それによって水密性が損なわれる恐れがある。更に、グローブバルブは、流体の流れがＳ字状であるため、流体抵抗が大きく、開閉に大きな操作力を必要とするため、輸送船の船倉からの粉粒体の抜出のような大口径の管路の遮断には適さないという問題がある。
【０００９】
このような上記公知の水密弁が有する問題点がなく、既存の粉体輸送船にそのまま取り付け可能であるとともに、粉粒体の流れを瞬時に水密に遮断することが可能な水密弁は、これまで見出されていない。
また、特に、粉粒体運搬船の船体前後方向に貫通するように水平移送手段を配置し、船倉内の粉粒体を空気流により流動化させて水平移送手段に向けて移送するエアスライダを設けた粉粒体運搬船の揚荷装置において、エアスライダと水平移送手段との間に設置して各船倉間の水密性を図る上で適した水密弁は、これまで見出されていない。
【００１０】
本発明は、上述した従来技術による問題点を解消し、損傷時復原性が良好で、且つ船倉から粉粒体を安定的に揚荷することができる揚荷装置を提供することを目的とする。
【課題を解決するための手段】
【００１１】
本発明の一態様は、粉粒体を複数に区画された船倉内に積載して運搬する粉粒体運搬船に設置され、前記船倉内から前記粉粒体を荷揚する揚荷装置であって、隔壁により内部が水密となるように区画された前記船倉内から搬出された粉粒体を垂直方向に移送する垂直移送手段と、前記船倉の底部中央に前記粉粒体運搬船の船体前後方向に貫通するように配置されると共に前記垂直移送手段と接続され、前記船倉内の粉粒体を、矩形断面を有する抜出口から前記垂直移送手段の下端側に向けて水平方向に移送する水平移送手段と、前記船倉の底部に前記底部中央に向けて傾斜するように配置され、前記船倉内の粉粒体を空気流により流動化させて前記水平移送手段に向けて移送するエアスライダとを備え、前記船倉の矩形断面を有する抜出口及び前記水平移送手段は、水密角型バタフライバルブにより閉塞可能に接続されていることを特徴とする揚荷装置を提供する。
【００１２】
また、特に、本発明の一態様は、粉粒体を複数に区画された船倉内に積載して運搬する粉粒体運搬船に設置され、前記船倉内から前記粉粒体を荷揚する揚荷装置であって、隔壁により内部が水密となるように区画された前記船倉内から搬出された粉粒体を垂直方向に移送する垂直移送手段と、前記船倉の底部中央に前記粉粒体運搬船の船体前後方向に貫通するように配置されると共に前記垂直移送手段と接続され、前記船倉内の粉粒体を、船倉の隔壁に移送方向下方に傾斜して取り付けられた矩形断面を有する抜出口から取り入れ、前記垂直移送手段の下端側に向けて水平方向に移送する水平移送手段と、前記船倉の底部に前記底部中央に向けて下方に傾斜するように配置され、前記船倉内の粉粒体を空気流により流動化させて前記船倉内を移送し、前記抜出口に向けて移送するエアスライダとを備え、前記船倉の矩形断面を有する抜出口及び前記水平移送手段は、水密角型バタフライバルブにより閉塞可能に接続されており、粉粒体の流路は前記抜出口から前記水平移送手段の入口まですべて矩形断面であるとともに移送方向下方に傾斜しており、かつ前記水密角型バタフライバルブは粉粒体の流路に沿って傾斜して取り付けられており、それによって水密角型バタフライバルブの開状態において前記エアスライダにおいて流動化された粉粒体は、前記船倉の抜出口から水密角型バタフライバルブを通って前記水平移送手段に少ない流れ抵抗で滞留することなく移送され、水密角型バタフライバルブの閉塞状態において各船倉と水平移送手段とは水密に遮断されることを特徴とする揚荷装置を提供する。
【００１３】
以上のように構成される揚荷装置において、前記垂直移送手段を縦型スクリューコンベヤ又は縦型バケットエレベータとし、前記水平移送手段をフローコンベヤとすることができる。
また、前記水密角型バタフライバルブのディスク面は、バルブの開状態において水平面に対し傾斜しており、バルブの閉塞状態において垂直面に対し傾斜しているものとすることができる。
【発明の効果】
【００１４】
本発明によれば、損傷時復原性が良好で、且つ船倉から粉粒体を安定的に揚荷することができる揚荷装置が提供される。
【図面の簡単な説明】
【００１５】
【図１】本発明の一実施形態に係る揚荷装置を備える粉粒体運搬船の構造を示す側部断面図である。
【図２】本発明の一実施形態に係る揚荷装置を備える粉粒体運搬船の構造を示す平面図である。
【図３】本発明の一実施形態に係る揚荷装置を備える粉粒体運搬船の構造を示す幅方向断面図である。
【図４】本発明の一実施形態に係る揚荷装置を備える粉粒体運搬船の構造を示す幅方向拡大断面図である。
【図５】本発明の一実施形態に係る揚荷装置に取り付けられる水密バタフライバルブの閉状態を示す正面図である。
【図６】本発明の一実施形態に係る揚荷装置に取り付けられる水密バタフライバルブの開状態を示す斜視図である。
【図７】本発明の他の実施形態に係る揚荷装置を備える粉粒体運搬船の構造を示す一部拡大断面図である。
【発明を実施するための形態】
【００１６】
以下、添付の図面を参照して、本発明の実施形態に係る揚荷装置について詳細に説明する。
図１は、本発明の一実施形態に係る揚荷装置を備える粉粒体運搬船を示す側部断面図、図２は図１の平面図、図３は図１の幅方向断面図である。
【００１７】
図１及び図２に示すように、本実施形態における粉粒体運搬船１は、船底を構成する船殻底板３の上に配置されたバラストタンク４と、このバラストタンク４の上板であるホールドの底板４ａとを備えるとともに、更に、船首部６と船尾部７との間に、例えば船体前後方向に４つに区画されたＮｏ．１ホールド２Ａ、Ｎｏ．２ホールド２Ｂ、Ｎｏ．３ホールド２Ｃ、及びＮｏ．４ホールド２Ｄからなる４つのホールドを備えている。これらＮｏ．１〜Ｎｏ．４ホールド２Ａ〜２Ｄは、隔壁２ｂにより船体の前後方向に水密状態で区画されている。
【００１８】
Ｎｏ．１〜Ｎｏ．４ホールド２Ａ〜２Ｄ内には、セメント、フライアッシュ、炭酸カルシウム（タンカル）、スラグ、クリンカー等の無機材の粉粒体や、穀物等を含む有機材の粉粒体等の空気流により流動し易い貨物が、積込装置を介して順次積み込まれ、積載される。
【００１９】
粉粒体運搬船１の積込装置は、例えばホールド２Ａ〜２Ｄ内に積載される貨物（積荷）を陸上から粉粒体運搬船１に受け入れる受入エアスライド１５０を介して接続された中央分配タンク１５２と、この中央分配タンク１５２に接続された分配エアスライド１５３と、この分配エアスライド１５３から分岐するホールド積込部１５４などを備えて構成されている。
【００２０】
中央分配タンク１５２は、船体の前後方向のほぼ中央に配置されている。分配エアスライド１５３は、中央分配タンク１５２から船首部６の方向及び船尾部７の方向に延び、且つ中央分配タンク１５２側からこれらの方向に傾斜して下がるように４つ設けられ、各ホールド２Ａ〜２Ｄの上部に設けられたホールド積込部１５４と中央分配タンク１５２とを連結する。
【００２１】
分配エアスライド１５３に連結されたホールド積込部１５４は、各ホールド２Ａ〜２Ｄに対して設けられており、ホールド積込部１５４と分配エアスライド１５３との間に設けられたゲート１５５の開操作により、セメント等の粉粒体がホールド積込部１５４直下のホールド２Ａ〜２Ｄ内に落下し、積み込まれる。この際、粉粒体は流動化した状態でホー
ルド２Ａ〜２Ｄ内に落下するので、ホールド２Ａ〜２Ｄ内の粉粒体の積載表面はほぼ水平化される。
【００２２】
本発明の一実施形態に係る粉粒体運搬船１の揚荷装置１００は、各ホールド２Ａ〜２Ｄ内に積載された粉粒体等の貨物を、順次、垂直方向（上方）に移送する垂直移送手段としてのバケットエレベータ１１０を備えている。
また、揚荷装置１００は、図３に示すように、各ホールド２Ａ〜２Ｄの底部中央２ｃに粉粒体運搬船の船体前後方向に貫通するように配置されると共に、バケットエレベータ１１０と接続され、各ホールド２Ａ〜２Ｄから抜出された粉粒体等の貨物をバケットエレベータ１１０の下端側に向かって水平方向に移送する水平移送手段としてのフローコンベヤ１２０を備えている。フローコンベヤ１２０としては、チェーンコンベアや横型スクリューコンベアを用いることが出来る。
【００２３】
更に、揚荷装置１００は、図３に示すように、各ホールド２Ａ〜２Ｄの底部２ａに底部中央２ｃに向けて傾斜するように配置され、各ホールド２Ａ〜２Ｄ内の粉粒体を圧縮空気により流動化させて、フローコンベヤ１２０に向けて移送する船倉内移送手段としてのエアスライダ１４０を備えている。そして、これらフローコンベヤ１２０及びエアスライダ１４０の接続部には、接続部を水密に閉塞可能な水密角型バタフライバルブ１３０および手動弁（図示せず）が設けられている。
【００２４】
図５は、水密角型バタフライバルブ１３０の閉じている状態を示す正面図、図６は、水密角型バタフライバルブ１３０の開いている状態を示す斜視図である。
図５及び図６において、水密角型バタフライバルブ１３０は、矩形の枠状のバルブ本体１１と、このバルブ本体１１の枠内に収容されたディスク１２と、このディスク１２を回転させるシリンダ１４（電動式等でも可）とから構成される。
【００２５】
図６からわかるように、ディスク１２の左右の肉厚部には孔（図示せず）が形成され、これら孔にはステム１３ａ及び１３ｂが挿入されている。これらステム１３ａ及びステム１３ｂを中心軸にして、ディスク１２は、図６に示すように９０℃回転して、開の状態となる。なお、ステム１３ａはシリンダ１４と接続されていて、空気圧、油圧手段等により作動されたシリンダ１４により、ディスク１２は回転駆動される。
【００２６】
本発明者らは、フローコンベヤ１２０及びエアスライダ１４０の接続部に設ける水密弁として、種々のバルブを検討し、試験した結果、水密角型バタフライバルブが最適であることを見出し、本発明をなすに至った。
即ち、上述したように、ボールバルブは、摺動部分に粉粒体を咬み込み、摺動部分が摩耗したり、破損する場合があり、それによって水密性が損なわれる恐れがある。また、ゲートバルブも同様に摺動部分に粉粒体を咬み込み、摺動部分が摩耗したり、破損する場合があり、それによって水密性が損なわれる恐れがある。更に、グローブバルブは、流体の流れがＳ字状であるため、流体抵抗が大きく、開閉に大きな操作力を必要とするため、輸送船の船倉からの粉粒体の抜出のような大口径の管路の遮断には適さないという問題がある。
【００２７】
これに対し、水密バタフライバルブは、摺動部分がないため粉粒体を咬み込むことがなく、９０°の回転で開閉が行われるため、開閉のストロークが小さく、瞬時に流路を遮断するに適しており、また、粉粒体の流れが直線状であるため、抵抗が小さく、開閉に大きな操作力を必要とせず、輸送船の船倉からの粉粒体の抜出のような大口径の管路の遮断に適しているという利点がある。
【００２８】
そのため、水密弁として、従来公知の丸型バタフライバルブを用いることが考えられる
。しかし、丸型バタフライバルブは、船倉抜出口の断面形状が矩形であるため、取り付けが困難であるという問題がある。丸型バタフライバルブを取り付けるには、矩形断面の船倉抜出口に、矩形断面から丸型断面に変更する接続部を設ける必要があり、その場合、船倉抜出口が設けられる隔壁の位置を外板側に移動せざるを得ず、その結果、船倉容積が減少してしまうという問題がある。
【００２９】
また、特に丸型バタフライバルブを垂直に取り付け、船倉抜出口と水平移送手段との間を接続する場合には、船倉抜出口の高さを高くするために船倉の底部の高さを嵩上げせざるを得ず、その結果、船倉容積が更に大幅に減少してしまうという問題がある。本発明者らの試算によると、船倉の減少率は１８％にも達してしまう。
【００３０】
このように、水密弁として丸型バタフライバルブを用いた場合には、設置スペースが大きくなるため、船倉容積が減少するとともに、既存の船型の運搬船には設置できないため、新たに船型を計画する必要があり、多大なコストがかかってしまうという問題がある。
更に、丸型バタフライバルブでは、矩形断面の船倉抜出口から丸型のバタフライバルブを経て矩形断面の水平移送手段入口への粉粒体の通過において、流れの抵抗が大きく、また粉粒体が接続部において滞留し易いという問題もある。
【００３１】
本発明者らは、丸型バタフライバルブに変えて角型バタフライバルブを用いることにより、これらの問題をすべて解決した。即ち、角型バタフライバルブによると、フローコンベヤ１２０とエアスライダ１４０との接続部の形状を変更する必要がないため、接続のためのデッドスペースが不要となり、また、角型バタフライバルブの設置に手間がかからず、丸型バタフライバルブの場合に比べ、より簡単な構造で、低コストで、損傷時復原性を向上させる揚荷装置１００を実現することができる。
【００３２】
また、本実施形態に係る揚荷装置１００によれば、抜出口に水密角型バタフライバルブ１３０を取り付けている、上述したように、一般的な輸送船における抜出口の断面が矩形であることから、フローコンベヤ１２０とエアスライダ１４０との接続部分にこれらの接続のためのデッドスペースが不要となり、より簡単な構造で損傷時復原性を向上させる揚荷装置１００を実現することができる。
【００３３】
ここで、水密弁として丸型バタフライバルブに変えて角型バタフライバルブを用いることは、一見容易に行うことが出来ると思われるかもしれない。しかし、これまで粉粒体の流れを遮断する水密弁として角型バタフライバルブを用いるという発想はなかった。それは、角型バタフライバルブは、粉粒体が通過する断面積に対して封止する周の長さが長いため、また長いシール部に粉粒体が付着したりして、完全な遮断が困難ではないかと考えられ、水密弁としては不適とされていたからである。
【００３４】
実際に、水密角型バタフライバルブはこれまで実用化されていない。角型バタフライダンパーの実用例はあるが、角型バタフライバルブの実用例はなく、まして粉粒体用の水密角型バタフライバルブに至っては、その実用はこれまで考えられていなかった。
【００３５】
本発明では、実際に、エアスライダと水平移送手段との接続部に水密角型バタフライバルブを配置し、船倉からのセメント、フライアッシュ、タンカル、スラグ、クリンカーや穀物等の流動性に富む粉粒体を遮断した場合、粉粒体はエアスライダにより更に流動性が増しているため、長いシール部に粉粒体が付着することは少なく、たとえ付着したとしても弾力性に富むシール部材により、瞬時の完全な遮断が可能であることがわかった。
【００３６】
また、船倉からの抜出口から水平移送手段まですべて矩形断面とすることができるため、丸型バタフライバルブに比べ流れの抵抗が少なく、また粉粒体が接続部において滞留す
ることもなく、粉粒体のスムースな抜き出し及び遮断が可能であることもわかった。
また、本発明者らの試験によると、水密角型バタフライバルブは、水圧０．１５ＭＰａ（水頭圧：１５ｍ相当）まで水密性を維持できることがわかった。このことは、貨物運搬船において、１つの船倉が深さ１５ｍまで浸水しても、他の船倉の水密性が保たれることを意味している。
【００３７】
なお、エアスライダ１４０は、ホールド２の船体側面側の隔壁２ｂ側から抜出口の方へ僅かに傾斜して下がるように配置されているので、流動化されたホールド２Ａ〜２Ｄ内の粉粒体を抜出口へ移送させ、抜出口に取り付けられた角型バタフライバルブ１３０を通してフローコンベヤ１２０へ移送させることが出来る。そして、水密角型バタフライバルブ１３０は、図示しない自動制御装置又は手動制御装置により閉操作されることで、エアスライダ１４０とフローコンベヤ１２０との間を水密に閉塞する。これにより、各ホールド２はそれぞれ水密に区画される。
【００３８】
このように構成された本実施形態に係る揚荷装置１００は、フローコンベヤ１２０によって各ホールド２が船体の前後方向に連通されていても、水密角型バタフライバルブ１３０によりフローコンベヤ１２０とエアスライダ１４０との間を水密に閉塞することができる。従って、ホールド２のいずれかに海水が浸入しても、水密角型バタフライバルブ１３０を閉操作することにより他のホールド２内への浸水を防ぐことができ、これにより、損傷時復原性を大幅に向上させることができる。
【００３９】
また、フローコンベヤ１２０、エアスライダ１４０及びバケットエレベータ１１０等は既存の構造のものを利用して、水密角型バタフライバルブ１３０のみを新規に設置するだけで揚荷装置１００を実現することができるので、揚荷装置１００を安価に構成することができるという利点がある。
【００４０】
なお、バケットエレベータ１１０の代わりに、縦型スクリューコンベヤ等の垂直移送手段を採用したり、フローコンベヤ１２０としてチェーンコンベヤや横型スクリューコンベヤ等を採用することも可能である。また、水密角型バタフライバルブ１３０をその開度に応じて粉粒体のフローコンベヤ１２０への流量を調整する流量調整弁として動作させたり、エアスライダ１４０のエアレーションを制御してこの流量を調整したりすることも可能である。
【００４１】
図５は、本発明の他の実施形態に係る揚荷装置を適用した粉粒体運搬船の構造を示す一部拡大断面図である。図５に示すように、揚荷装置１００Ａは、バケットエレベータ１１０とフローコンベヤ１２０との接続部に、更に水密角型バタフライバルブ１３０が備えられている点が、先の実施形態に係る揚荷装置１００と相違している。
【００４２】
このような構成により、各ホールド２の部分と船首部６とを水密状態に区画して、損傷時復原性を良好にすることができる。従って、各ホールド間を水密に区画できるだけでなく、各ホールド２と船首部６とを水密状態に区画して、損傷時復原性を更に良好にすることができる。
【符号の説明】
【００４３】
１          粉粒体運搬船
２          船倉（ホールド）
２ａ        底部
２ｂ        隔壁
３          船殻底板
４          バラストタンク
４ａ        底板
５          エアスライダ取付底板
６          船首部
７          船尾部
１１        バルブ本体
１２        ディスク
１３ａ      ステム
１３ｂ      ステム
１４        シリンダ
１００      揚荷装置
１１０      バケットエレベータ
１２０      フローコンベヤ
１３０      角型バタフライバルブ
１４０      エアスライダ
【図１】
2018070158.tif 000003
【図２】
2018070158.tif 000004
【図３】
2018070158.tif 000005
【図４】
2018070158.tif 000006
【図５】
2018070158.tif 000007
【図６】
2018070158.tif 000008
【図７】
2018070158.tif 000009